(57)【要約】【課題】  墓石の周囲全体を生花もしくは造花等の花で綺麗に装飾できるようにする。  【解決手段】  造花もしくは生花等の装飾体Ｐを添装可能にした左右花飾り枠面部４、この左右花飾り枠面部４の上側相互を連結した上枠部５それぞれによって墓石Ｑ前面を露出する開口部６を形成した前面枠体部２と、この前面枠体部２を衝立状に直立保持するよう左右花飾り枠面部４それぞれの下端側から後方へ向けて延設し、墓石Ｑ下縁側の左右部、後部それぞれを囲繞するように配置した支持枠体部３とを備える。上枠部５側には、花飾りアーチ枠面部８を形成し、左右花飾り枠面部４の枠面内には花受け用の柵面部７を設け、左右花飾り枠面部４から支持枠体部３にかけて斜めに傾倒阻止部材９を設ける。【選択図】      図１
2006037377.tif 000002
【特許請求の範囲】
【請求項１】
墓石前面の左右側に配置され、造花もしくは生花等の装飾体を添装可能にした左右花飾り枠面部、この左右花飾り枠面部の上側相互を連結させた上枠部それぞれによって墓石前面を露出させる開口部を形成して成る前面枠体部と、この前面枠体部を衝立状に直立保持させるよう左右花飾り枠面部それぞれの下端側から後方へ向けて延設され、墓石下縁側の左右部、後部それぞれを囲繞するように配置した支持枠体部とを備えて成ることを特徴とする墓石用花飾り具。
【請求項２】
上枠部側には、アーチ状の枠材を載架して花飾りアーチ枠面部を形成した請求項１記載の墓石用花飾り具。
【請求項３】
左右花飾り枠面部の枠面内には、棒材を縦格子状に連設して成る花受け用の柵面部を備えた請求項１または２記載の墓石用花飾り具。
【請求項４】
左右花飾り枠面部から支持枠体部にかけて斜めに棒材を掛架配置させて成る傾倒阻止部材を備えた請求項１乃至３のいずれか記載の墓石用花飾り具。
【請求項５】
花受け用の柵面部の材質として萩の木材を使用し、前面枠体部、支持枠体部それぞれの材質として黒竹を使用した請求項１乃至４のいずれか記載の墓石用花飾り具。
【発明の詳細な説明】
【技術分野】
【０００１】
本発明は、墓地に立設された墓石を生花もしくは造花等の花で綺麗に装飾するための墓石用花飾り具に関するものである。
【背景技術】
【０００２】
従来から、先祖等の供養のための墓参りにおいて、墓石に生花もしくは造花等の花を捧げる場合、墓石の前面における左右両側に設置されている花入れ容器に生花を直接入れておくものであった。そして、墓石前面中央の筐体状の線香入れに線香を載せてから墓石に水を掛ける等で与えて参拝するのであった。
【特許文献１】特になし
【発明の開示】
【発明が解決しようとする課題】
【０００３】
しかしながら、従来のような花入れ容器に生花を直接入れておくだけでは生花があまり目立たないため、墓石自体が装飾的に簡素で引き立たず、墓石化粧用としては物足りない等の問題点を有していた。
【０００４】
そこで本発明は叙上のような従来存した諸事情に鑑み創出されたもので、墓石の周囲全体を生花もしくは造花等の花で綺麗に装飾することのできる墓石化粧用として簡単に使用でき、しかも墓石周囲への設置や墓石周囲からの撤去も容易に行えるものとした墓石用花飾り具を提供することを目的とする。
【課題を解決するための手段】
【０００５】
上述した課題を解決するため、本発明にあっては、墓石Ｑ前面の左右側に配置され、造花もしくは生花等の装飾体Ｐを添装可能にした左右花飾り枠面部４、この左右花飾り枠面部４の上側相互を連結させた上枠部５それぞれによって墓石Ｑ前面を露出させる開口部６を形成して成る前面枠体部２と、この前面枠体部２を衝立状に直立保持させるよう左右花飾り枠面部４それぞれの下端側から後方へ向けて延設され、墓石Ｑ下縁側の左右部、後部それぞれを囲繞するように配置した支持枠体部３とを備えて成る墓石用花飾り具１を構成するものである。
上枠部５側には、アーチ状の枠材を載架して花飾りアーチ枠面部８を形成することができる。
左右花飾り枠面部４の枠面内には、棒材を縦格子状に連設して成る花受け用の柵面部７を備えたものとすることができる。
左右花飾り枠面部４から支持枠体部３にかけて斜めに棒材を掛架配置させて成る傾倒阻止部材９を備えたものとすることができる。
花受け用の柵面部７の材質として萩の木材を使用し、前面枠体部２、支持枠体部３それぞれの材質として黒竹を使用して構成することができる。
また、更には墓石Ｑ前面の左右側に配置され、造花もしくは生花等の装飾体Ｐを添装可能にしたポリエチレンコーテイング処理した鉄製メッシュ材による左右花飾り枠面部４、この左右花飾り枠面部４の上側相互をアーチ状に連結させ、造花もしくは生花等の装飾体Ｐを添装可能にしたポリエチレンコーテイング処理した鉄製メッシュ材による花飾りアーチ枠面部８それぞれによって墓石Ｑ前面を露出させる開口部６を形成して成る前面枠体部２と、この前面枠体部２を衝立状に直立保持させるよう左右花飾り枠面部４それぞれの下端外側面から後方へ向けて延設され、墓石Ｑ下縁側の左右側に配置されるポリエチレンコーテイング処理した鉄製メッシュ材による支持枠体部３とを備えて成るものとすることもできる。
【０００６】
以上のように構成された本発明に係る墓石用花飾り具１にあって、前面枠体部２は、墓石Ｑ下縁側の左右部、後部それぞれを囲繞するように配置される支持枠体部３によって、当該前面枠体部２の開口部６から墓石Ｑ前面を露出させた状態で支持配置させる。
左右花飾り枠面部４、花飾りアーチ枠面部８それぞれは、これらに造花もしくは生花等の装飾体Ｐを添装させることにより、当該造花もしくは生花等の装飾体Ｐを墓石Ｑ前面の周囲全体に配置させる。
花受け用の柵面部７は、左右花飾り枠面部４、花飾りアーチ枠面部８それぞれに添装された造花もしくは生花等の装飾体Ｐを安定した状態で支持させる。
傾倒阻止部材９は、支持枠体部３に対する前面枠体部２の前後への傾倒を阻止させ、当該前面枠体部２の直立状態を保持させる。
萩の木材を使用した花受け用の柵面部７、黒竹を使用した前面枠体部２、支持枠体部３それぞれは、墓石Ｑに対して和風的で且つ天然的な装飾・化粧効果を付与させる。
ポリエチレンコーテイング処理した鉄製メッシュ材による前面枠体部２、支持枠体部３それぞれは、墓石Ｑに対して洋風的で且つ人工的な装飾・化粧効果を付与させる。
【発明の効果】
【０００７】
本発明によれば、墓石Ｑの周囲全体を生花もしくは造花等の花で綺麗に装飾することのできる墓石Ｑ化粧用として簡単に使用でき、しかも墓石Ｑ周囲への設置や墓石Ｑ周囲からの撤去も容易に行えるものとなる。
【０００８】
すなわちこれは本発明が、造花もしくは生花等の装飾体Ｐを添装可能にした左右花飾り枠面部４、上枠部５それぞれによって墓石Ｑ前面を露出させる開口部６を有する前面枠体部２と、この前面枠体部２を衝立状に直立保持させるよう左右花飾り枠面部４それぞれの下端側から後方へ向けて延設された支持枠体部３とを備えて成るからであり、これにより、墓石Ｑの周囲全体を生花もしくは造花等の花で綺麗に装飾することができ、墓石Ｑ全体を容易に引き立たせることができる。
【０００９】
上枠部５側には、アーチ状の枠材を載架して花飾りアーチ枠面部８を形成したので、墓石Ｑ左右側に加えて墓石Ｑ上部での装飾的・化粧的効果を容易に付与することができ、墓石Ｑ全体の見栄えをさらに向上させることができる。
【００１０】
左右花飾り枠面部４の枠面内には、棒材を縦格子状に連設して成る花受け用の柵面部７を備えたので、左右花飾り枠面部４、花飾りアーチ枠面部８それぞれに添装された造花もしくは生花等の装飾体Ｐを安定な状態に支持しておくことができる。
【００１１】
左右花飾り枠面部４から支持枠体部３にかけて斜めに棒材を掛架配置させて成る傾倒阻止部材９を備えたので、支持枠体部３に対する前面枠体部２の前後への傾倒を未然に防止することができ、当該前面枠体部２の直立状態を常時安定に保持しておくことができる。  
【００１２】
花受け用の柵面部７の材質として萩の木材を使用し、前面枠体部２、支持枠体部３それぞれの材質として黒竹を使用したので、墓石Ｑに対して和風的で且つ天然的な装飾・化粧効果を付与することができる。
【００１３】
造花もしくは生花等の装飾体Ｐを添装可能にしたポリエチレンコーテイング処理した鉄製メッシュ材による左右花飾り枠面部４、花飾りアーチ枠面部８それぞれによって墓石Ｑ前面を露出させる開口部６を形成して成る前面枠体部２と、この前面枠体部２を衝立状に直立保持させるよう左右花飾り枠面部４それぞれの下端外側面から後方へ向けて延設されたポリエチレンコーテイング処理した鉄製メッシュ材による支持枠体部３とを備えて成るので、墓石Ｑに対して洋風的で且つ人工的な装飾・化粧効果を付与することができる。
【００１４】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１５】
以下図面を参照して本発明を実施するための最良の一形態を説明すると、図において示される符号１は、生花もしくは造花等の花で墓石Ｑを綺麗に装飾可能とした墓石用花飾り具であって、この墓石用花飾り具１は、図２に示すように、例えば黒竹等の竹製の棒材を、例えばホゾとホゾ穴とによる軸組によって形成した高さが例えば約６５ｃｍ程度の前面枠体部２、奥行きが例えば約２６ｃｍ程度の支持枠体部３それぞれによって構成されている。
【００１６】
前面枠体部２は、図３に示すように、造花もしくは生花等の装飾体Ｐを添装可能にした互いに一対の前部棒材２Ａによって形成される左右花飾り枠面部４の上側相互を上枠部５を形成する棒材によって互いに軸組連結することで、墓石Ｑの縦横の幅員に対応した横幅が例えば約２５ｃｍ、縦幅が例えば約６５ｃｍ程度の開口部６が形成され、図１に示すように、この開口部６から墓石Ｑ前面が露出配置されることで左右花飾り枠面部４を墓石Ｑの左右に配置できるようにしてある。
【００１７】
また、支持枠体部３は、前面枠体部２を衝立状に直立保持させるために左右花飾り枠面部４それぞれの下端側から後方へ向けて延設され、墓石Ｑ下縁側の左右部、後部それぞれを囲繞するように略コ字形の配置形状としてある。すなわち、支持枠体部３は、左右花飾り枠面部４それぞれの一対の前部棒材２Ａの下端側それぞれに同じ長さの底部棒材３Ａが直角となるように軸組され、これら底部棒材３Ａが互いに平行となるように後端部それぞれに後部棒材３Ｂを軸組連結させることによって形成してある。また、左右それぞれの一対の底部棒材３Ａの中間部分には補強用棒材３Ｃを横架介在させることでねじれ等が防止できるように補強してある。
【００１８】
尚、これらの前面枠体部２、支持枠体部３それぞれの大きさは、設置装飾すべき墓石Ｑの大きさに対応して種々に設定され、また前面枠体部２、支持枠体部３それぞれ自体の幅員も適宜に設定されるもので、上記長さ・大きさ等に限定されるものではない。
【００１９】
さらに、上枠部５側には、アーチ状の枠材を載架して花飾りアーチ枠面部８を形成してある。具体的には、円弧状に湾曲させたアーチ棒材８Ａの両端を前記前面枠体部２における左右花飾り枠面部４の上端角部に軸組連結させることで形成される。尚、この花飾りアーチ枠面部８を形成せずに、上枠部５自体に造花もしくは生花等の装飾体Ｐを直接添装しても良い。
【００２０】
左右花飾り枠面部４の枠面内は、図５に示すように、中間部分に補強用棒材４Ａを横架介在させることで上下二段に補強られており、例えば萩の木材による長さが例えば約２０ｃｍ程度の複数の棒材を針金もしくは糸材、銅線材等の縛結線材等を介して縦格子状に連設して成る花受け用の柵面部７を上下枠面内それぞれに取り付けてある。
【００２１】
同様にして花飾りアーチ枠面部８内には、例えば萩の木材による複数の棒材を針金もしくは糸材を介して縦格子状に連設し且つアーチ枠内面に対応した形状に切断して成る花受け用の柵面部７を取り付けてある。
【００２２】
また、図４に示すように、左右花飾り枠面部４の例えば略中間の高さにある補強用棒材の中間部から支持枠体部３の後部棒材３Ｂにかけて斜めに棒材による傾倒阻止部材９を軸組によって掛架配置させることで、前面枠体部２自体に対して装飾対Ｐの荷重や外力等が作用しても当該前面枠体部２を略直立の状態を常時維持できるようにしてある。この傾倒阻止部材９の取り付け位置の他の例として、左右花飾り枠面部４の例えば最上端から支持枠体部３の補強用棒材の中間部もしくは後部棒材３Ｂにかけて斜めに他の棒材を掛架配置しても良い。
【００２３】
尚、本実施の形態においては、墓石用花飾り具１を形成するために黒竹等の竹製、萩材製の棒材を使用しているが、これに限らず、例えば棒状・パイプ状・帯板状等の形状を有する木材、合成樹脂材、金属材等を使用しても良い。例えば、合成樹脂材としては、アクリル樹脂、塩化ビニル樹脂、高密度ポリエチレン樹脂、特殊強化ＡＡＳ樹脂、ポリエチレン・ポリスチレン・ポリプロピレン樹脂等の合成樹脂、あるいはセラミック材、樹脂再生木材等が使用され、金属材としては、ポリエチレンコーテイング処理した鉄材、ステンレス材、アルミニウム材、スチール材、真鍮材等が使用される。
【００２４】
また、装飾体Ｐは造花もしくは生花等として説明、図示されているも、これを他の適宜な装飾体例えば風景のものとしたり、人形・動物等のキャラクターのものとしたり、故人の好みのものとしたり等、種々に選定できるものである。
【００２５】
次に、本構成による墓石用花飾り具１の組立手順と使用方法について説明する。尚、以下に説明する軸組とは、各棒材の一端に突出形成したホゾを、他の棒材の側面に穿設したホゾ穴に嵌合し、必要に応じて接着剤、釘、紐等で固定する方式を採っているが、本発明はこれに限定されることはない。
【００２６】
先ず、図２乃至図４に示すように、一対の前部棒材２Ａによって形成される左右花飾り枠面部４の上側相互を上枠部５を形成する棒材によって互いに軸組連結し、左右花飾り枠面部４の左右で互いに一対の前部棒材２Ａの中間部に補強用棒材を軸組することで前面枠体部２を形成しておく。また、必要に応じて、円弧状に湾曲させたアーチ棒材の両端を前面枠体部２における左右花飾り枠面部４の上端角部に軸組連結させることで、花飾りアーチ枠面部８を形成する。
【００２７】
そして、左右花飾り枠面部４それぞれの一対の前部棒材２Ａの下端側それぞれに同じ長さの底部棒材３Ａを直角となるように軸組し、これら底部棒材３Ａが互いに平行となるように後端部それぞれを後部棒材３Ｂの側面に軸組連結すると同時に左右それぞれの一対の前部棒材２Ａの中間部分に補強用棒材を横架介在させてねじれ等が生じないように補強することで支持枠体部３を形成する。
【００２８】
次いで、左右花飾り枠面部４の例えば略中間の高さにある補強用棒材の中間部から支持枠体部３の後部棒材３Ｂにかけて斜めに傾倒阻止部材９を掛架配置するように軸組する。また、図５に示すように、左右花飾り枠面部４の枠面内には、萩の木材による棒材を針金もしくは糸材を介して縦格子状に連設して成る花受け用の柵面部７を取り付け、同様にして花飾りアーチ枠面部８内には、同じ萩の木材による棒材を縛結線材等を介して縦格子状に連設し且つアーチ枠内面に対応した形状に切断して成る花受け用の柵面部７を取り付けることで墓石用花飾り具１が形成される。
【００２９】
この墓石用花飾り具１の使用に際し、図１に示すように、造花もしくは生花等の装飾体Ｐの葉のある茎部分を左右花飾り枠面部４、花飾りアーチ枠面部８それぞれに巻き付けるようにして取り付け、花部分が前方へ均一に向くように整えておく。そして、墓石Ｑの背後から墓石用花飾り具１の開口部６側を位置合わせして装着し、コ字枠状の支持枠体部３を、墓石Ｑ下縁側の左右部、後部それぞれを囲繞するように配置すると同時に、開口部６に墓石Ｑの前面部が露出した状態となるように配置すれば、墓石Ｑの周囲全体を生花もしくは造花等の花で綺麗に装飾した状態となる。
【００３０】
図６には、本発明の他の実施の形態が示されている。すなわち、本実施の形態における墓石用花飾り具１は、防錆処理した金属製材によって一体に加工して成るものであり、具体的には前面枠体部２を、ポリエチレンコーテイング処理した鉄製メッシュ材を溶接加工して成る左右花飾り枠面部４、花飾りアーチ枠面部８それぞれによって形成し、ポリエチレンコーテイング処理した鉄製メッシュ材による支持枠体部３を左右花飾り枠面部４それぞれの下端外側面から後方へ向けて溶接固定したものである。
【００３１】
使用に際し、造花もしくは生花等の装飾体Ｐの葉のある茎部分を左右花飾り枠面部４、花飾りアーチ枠面部８それぞれのメッシュ部分に巻き付けるようにして取り付け、花部分が前方へ均一に向くように整えておく。そして、墓石Ｑの前側もしくは後側のいずれか一方側から墓石用花飾り具１を挿入し、左右花飾り枠面部４、花飾りアーチ枠面部８それぞれによって形成された開口部６から墓石Ｑ前面が露出するように配置すれば、墓石Ｑの周囲全体を生花もしくは造花等の花で綺麗に装飾した状態となる。
【図面の簡単な説明】
【００３２】
【図１】本発明を実施するための最良の形態における使用状態の斜視図である。
【図２】同じく組立手順を説明する分解斜視図である。
【図３】同じく花受け用の柵面部を取り付ける前の正面図である。
【図４】同じく側面図である。
【図５】同じく花受け用の柵面部を取り付ける状態を示す斜視図である。
【図６】他の実施の形態における使用状態の斜視図である。
【符号の説明】
【００３３】
Ｐ…装飾体                              Ｑ…墓石
１…墓石用花飾り具                      ２…前面枠体部
２Ａ…前部棒材                          ３…支持枠体部
３Ａ…底部棒材                          ３Ｂ…後部棒材
３Ｃ…補強用棒材                        ４…左右花飾り枠面部
４Ａ…補強用棒材                        ５…上枠部
６…開口部                              ７…花受け用の柵面部
８…花飾りアーチ枠面部                  ８Ａ…アーチ棒材
９…傾倒阻止部材
【図１】
2006037377.tif 000003
【図２】
2006037377.tif 000004
【図３】
2006037377.tif 000005
【図４】
2006037377.tif 000006
【図５】
2006037377.tif 000007
【図６】
2006037377.tif 000008